(57)【特許請求の範囲】
【請求項１】
頭部、胴体部、前記胴体部から伸びる一対の手部、及び、前記胴体部から伸びる一対の脚部を含む本体部であって、ユニットが収容される第一の内部空間が前記胴体部に形成される本体部と、
前記本体部に設けられ、アクセサリを着脱可能な装着部であって、前記本体部をアクセサリの前記装着部への装着方向にみた状態において、前記第一の内部空間に収容された前記ユニットと重なる装着部と、
前記装着部に装着されたアクセサリに応じた演出を行う演出部と、
前記一対の手部の各々、又は、前記一対の脚部の各々の先端部に設けられた操作部と、
前記操作部と前記第一の内部空間に収容されたユニットとを接続する配線と、
を備え、
前記操作部が設けられる前記本体部の部分は、前記配線によって前記アクセサリの前記装着部への装着方向の反対方向に付勢されているぬいぐるみ。
【請求項２】
請求項１記載のぬいぐるみであって、
前記本体部は、その表面が第一の素材で形成され、前記装着部は、前記第一の素材よりも硬質の第二の素材で形成されるぬいぐるみ。
【請求項３】
請求項１または２記載のぬいぐるみであって、
前記演出部は、前記本体部内の前記第一の内部空間とは異なる第二の内部空間に収容されているぬいぐるみ。
【請求項４】
請求項１〜３のいずれか１項記載のぬいぐるみであって、
前記第一の内部空間には開閉可能な開口部が形成され、
前記ユニットは、その一部が前記開口部から外側に引き出し可能に構成されているぬいぐるみ。
【請求項５】
請求項４記載のぬいぐるみであって、
前記ユニットの前記開口部側の端面には、ぬいぐるみの起動及び停止を切り替えるための電源操作部が形成されているぬいぐるみ。
【請求項６】
請求項１〜５のいずれか１項記載のぬいぐるみであって、
前記装着部は、前記胴体部に設けられており、かつ、前記胴体部を前記アクセサリの前記装着部への装着方向にみた状態において、前記一対の手部に挟まれた位置に設けられているぬいぐるみ。
【請求項７】
請求項１〜６のいずれか１項記載のぬいぐるみであって、
制御部をさらに備え、
前記制御部は、前記装着部にアクセサリが装着されたことにより、前記アクセサリに応じた演出を実行させる第一の制御を行い、前記装着部へのアクセサリの装着、前記装着部からのアクセサリの取り外し、及び、前記操作部の操作のいずれもがないことを条件に、ぬいぐるみを省電力モードに移行させるぬいぐるみ。
【請求項８】
請求項７記載のぬいぐるみであって、
前記制御部は、前記第一の制御によって演出が実行された後、又は、前記装着部から前記アクセサリが取り外されたことにより、前記第一の制御によって実行される演出とは異なる演出を実行させる第二の制御を行うぬいぐるみ。
【請求項９】
請求項１〜８のいずれか１項記載のぬいぐるみであって、
前記アクセサリは、予め決められた情報を示す突起が形成されたものであるぬいぐるみ。
【請求項１０】
請求項９記載のぬいぐるみであって、
前記アクセサリは、前記装着部と嵌合される第一の嵌合部及び第二の嵌合部を有し、
前記突起は、前記第一の嵌合部と前記第二の嵌合部の間に形成されているぬいぐるみ。
【発明の詳細な説明】
【技術分野】
【０００１】
本発明は、ぬいぐるみ、つまり内部に物を包み込んだものであり、人や動物や架空のキャラクタ等の形状を模した玩具に関する。
【背景技術】
【０００２】
コンピュータを内蔵するぬいぐるみが知られている（例えば特許文献１参照）。特許文献１に記載のぬいぐるみは、ＲＦＩＤタグチップが内蔵されたアクセサリから識別情報を読み取るタグリーダを内蔵しており、アクセサリから非接触で読み取った識別情報にしたがって、所定の演出を行う。
【先行技術文献】
【特許文献】
【０００３】
【特許文献１】特表２００５−５０９５０１号公報
【発明の概要】
【発明が解決しようとする課題】
【０００４】
特許文献１のようにＲＦＩＤ技術を用いて識別情報等の取得を行う場合、アクセサリにＲＦＩＤタグチップを内蔵する必要があるため、アクセサリの製造コストが増大する。また、アクセサリがぬいぐるみに固定されることはないため、アクセサリを紛失する可能性が高くなる。
【０００５】
本発明は上記事情に鑑みてなされたものであり、演出を行うためのアクセサリの紛失を防ぐことができ、かつ、製造コストを低減することのできるぬいぐるみを提供することを目的とする。
【課題を解決するための手段】
【０００６】
本発明に係るぬいぐるみは、頭部、胴体部、前記胴体部から伸びる一対の手部、及び、前記胴体部から伸びる一対の脚部を含む本体部であって、ユニットが収容される第一の内部空間が前記胴体部に形成される本体部と、前記本体部に設けられ、アクセサリを着脱可能な装着部であって、前記本体部をアクセサリの前記装着部への装着方向にみた状態において、前記第一の内部空間に収容された前記ユニットと重なる装着部と、前記装着部に装着されたアクセサリに応じた演出を行う演出部と、前記一対の手部の各々、又は、前記一対の脚部の各々の先端部に設けられた操作部と、前記操作部と前記第一の内部空間に収容されたユニットとを接続する配線と、を備え、前記操作部が設けられる前記本体部の部分は、前記配線によって前記アクセサリの前記装着部への装着方向の反対方向に付勢されている。
【０００７】
また、本発明に係るぬいぐるみは、前記本体部は、電池収容部を少なくとも含むユニットが収容される第一の内部空間を有し、前記本体部をアクセサリの前記装着部への装着方向にみた状態において、前記装着部が前記第一の内部空間に収容された前記ユニットと重なっていることを特徴としている。
【０００８】
また、本発明に係るぬいぐるみは、前記第一の内部空間は開閉可能な開口部を有し、前記ユニットは、その一部が前記開口部から外側に引き出し可能に構成されていることを特徴としている。
【０００９】
また、本発明に係るぬいぐるみは、前記ユニットの前記開口部側の端面には、ぬいぐるみの起動及び停止を切り替えるための電源操作部が形成されていることを特徴としている。
【００１０】
また、本発明に係るぬいぐるみは、前記装着部に装着されたアクセサリに応じた演出を行う演出部を備え、前記演出部は、前記本体部内の前記第一の内部空間とは異なる第二の内部空間に収容されていることを特徴としている。
【００１１】
また、本発明に係るぬいぐるみは、前記本体部は、頭部、胴体部、前記胴体部から伸びる一対の手部、及び、前記胴体部から伸びる一対の脚部を含み、前記第一の内部空間は前記胴体部に設けられ、前記一対の手部の各々、又は、前記一対の脚部の各々の先端部に設けられた操作部と、前記操作部と前記第一の内部空間に収容されたユニットとを接続する配線と、を更に備えることを特徴としている。
【００１２】
また、本発明に係るぬいぐるみは、前記操作部が設けられる前記本体部の部分は、前記配線によって前記アクセサリの前記装着部への装着方向の反対方向に付勢されていることを特徴としている。
【００１３】
また、本発明に係るぬいぐるみは、前記本体部は、頭部、胴体部、前記胴体部から伸びる一対の手部、及び、前記胴体部から伸びる一対の脚部を含み、前記装着部は、前記胴体部に設けられており、かつ、前記胴体部を前記アクセサリの前記装着部への装着方向にみた状態において、前記一対の手部に挟まれた位置に設けられていることを特徴としている。
【００１４】
また、本発明に係るぬいぐるみは、前記装着部にアクセサリが装着されたことにより、前記アクセサリに応じた演出を実行させる第一の制御を行う制御部を更に備えることを特徴としている。
【００１５】
また、本発明に係るぬいぐるみは、前記制御部は、前記第一の制御によって演出が実行された後、又は、前記装着部から前記アクセサリが取り外されたことにより、前記第一の制御によって実行される演出とは異なる演出を実行させる第二の制御を行うことを特徴としている。
【００１６】
また、本発明に係るぬいぐるみは、操作部を備え、前記制御部は、前記装着部へのアクセサリの装着、前記装着部からのアクセサリの取り外し、及び、前記操作部の操作のいずれもがないことを条件に、ぬいぐるみを省電力モードに移行させることを特徴としている。
【００１７】
また、本発明に係るぬいぐるみは、前記制御部は、前記省電力モードにおいて、前記装着部へのアクセサリの装着、前記装着部からのアクセサリの取り外し、及び、前記操作部の操作のいずれかがなされることを条件に、省電力モードを解除することを特徴としている。
【００１８】
また、本発明に係るぬいぐるみは、前記アクセサリは、予め決められた情報を示す突起が形成されたものであることを特徴としている。
【００１９】
また、本発明に係るぬいぐるみは、前記アクセサリは、前記装着部と嵌合される第一の嵌合部及び第二の嵌合部を有し、前記突起は、前記第一の嵌合部と前記第二の嵌合部の間に形成されていることを特徴としている。
【発明の効果】
【００２０】
本発明によれば、演出を行うためのアクセサリの紛失を防ぐことができ、かつ、製造コストを低減することのできるぬいぐるみを提供することができる。
【図面の簡単な説明】
【００２１】
【図１】本発明の一実施形態であるぬいぐるみ１００の概略構成を模式的に示す外観図である。
【図２】図１に示すぬいぐるみ１００の装着部２１の拡大斜視図である。
【図３】図２に示す装着部２１に着脱可能なアクセサリ５０の概略構成を示す斜視図である。
【図４】図１に示すぬいぐるみ１００の表面によって包まれている内部空間の概略構成を示す図である。
【図５】図１に示すぬいぐるみ１００の左側面図である。
【図６】図１に示すぬいぐるみ１００の右側面図である。
【図７】図１に示すぬいぐるみ１００のＡ−Ａ線断面模式図である。
【図８】図７に示す状態から生地３２の先端部３２ａと生地３１との固定を解除した状態を示す図である。
【図９】制御ユニット２３の開口部４１ａ側の端面の平面模式図である。
【発明を実施するための形態】
【００２２】
図１は、本発明の一実施形態であるぬいぐるみ１００の概略構成を模式的に示す外観図である。
【００２３】
ぬいぐるみ１００は、人や動物や架空のキャラクタ等の形状を模した形（図１の例ではクマの形）となっており、胴体部２と、胴体部２から伸びる頭部１と、胴体部２から伸びる一対の手部３ａ，３ｂと、胴体部２から伸びる一対の脚部４ａ，４ｂと、を含む本体部１００ａと、本体部１００ａの表面に固定された装着部２１と、を備える。
【００２４】
本体部１００ａは、表面が綿や化学繊維等の柔らかい第一の素材によって形成された生地によって構成されており、この生地で包まれた内部空間の一部には弾力性を有する充填材料が詰め込まれている。
【００２５】
装着部２１は、胴体部２に設けられており、アクセサリを着脱可能となっている。装着部２１は、本体部１００ａの表面を構成する第一の素材よりも硬質の第二の素材（例えばプラスチック等）によって構成されている。
【００２６】
手部３ａと手部３ｂの各々の先端部の内部には、ぬいぐるみ１００の操作を行うための操作部３ｃ，３ｄが形成されている。操作部３ｃ，３ｄは、それぞれ、例えば感圧センサ等によって構成されており、圧力を検知し、検知信号を後述する制御部２４に出力する。
【００２７】
胴体部２には、装着部２１が設けられた部分よりも脚部４ａ，４ｂ側の部分に、演出部としての発光部２２が内蔵されている。
【００２８】
図２は、図１に示すぬいぐるみ１００の装着部２１の拡大斜視図である。図３は、図２に示す装着部２１に着脱可能なアクセサリ５０の概略構成を示す斜視図である。
【００２９】
装着部２１は、頭部１と胴体部２の並ぶ方向に配列された凸部２１ａ及び凸部２１ｂと、凸部２１ａと凸部２１ｂの間に形成されたスイッチ部２１ｃと、を備える。
【００３０】
アクセサリ５０は、凸部２１ａと嵌合される第一の嵌合部である凹部５０ａと、凸部２１ｂと嵌合される第二の嵌合部である凹部５０ｂと、凹部５０ａと凹部５０ｂの間に形成された突起５０ｃと、を備える。
【００３１】
突起５０ｃは、予め決められた情報を示すパターンに成形されており、この突起５０ｃのパターンが異なる複数のアクセサリ５０を装着部２１に着脱可能である。
【００３２】
装着部２１のスイッチ部２１ｃは、押し込み可能な複数のスイッチ（スイッチＳ１〜スイッチＳ５）を有する。図３に示すアクセサリ５０が装着部２１に装着され、凸部２１ａと凹部５０ａが嵌合し、凸部２１ｂと凹部５０ｂが嵌合した状態では、アクセサリ５０の突起５０ｃによってスイッチＳ１〜スイッチＳ３が押し込まれる。アクセサリ５０に形成された突起５０ｃのパターンによって、押し込まれるスイッチは変化する。
【００３３】
スイッチ部２１ｃは、アクセサリ５０が装着されたことで押し込まれたスイッチの数と、そのスイッチの位置との組み合わせに応じた信号を、アクセサリの識別情報として、後述する制御部２４に通知する。
【００３４】
アクセサリ５０が装着部２１に装着される際に、アクセサリ５０が装着部２１に押し込まれる方向を、アクセサリ５０の装着部２１への装着方向とし、以下、単に装着方向と言う。
【００３５】
図４は、図１に示すぬいぐるみ１００の表面によって包まれている内部空間の概略構成を示す図である。図４に示すように、本体部１００ａ内部には、ぬいぐるみ１００全体を統括制御する制御部を内蔵する制御ユニット２３と、操作部３ｃ，３ｄと、操作部３ｃ，３ｄの各々と制御ユニット２３とを接続する配線Ｈ１，Ｈ２と、が設けられている。
【００３６】
配線Ｈ１は、その長さが調整されることで、手部３ｂを装着方向の反対方向に向けて付勢している。同様に、配線Ｈ２は、その長さが調整されることで、手部３ａを装着方向の反対方向に向けて付勢している。
【００３７】
図５は、図１に示すぬいぐるみ１００の左側面図である。図６は、図１に示すぬいぐるみ１００の右側面図である。図５及び図６に示すように、図４に示した配線Ｈ１，Ｈ２によって、手部３ａと手部３ｂは、装着方向の反対方向（図５において左から右に向かう方向）に付勢されている。これにより、ぬいぐるみ１００の見た目の可愛いらしさを演出している。
【００３８】
図１に示したように、装着部２１は、胴体部２を装着方向にみた状態において、手部３ａと手部３ｂによって挟まれた位置（抱え込み可能な位置）に設けられている。手部３ａと手部３ｂは、それぞれ、装着部２１の前方付近まで曲げることできる程度に配線Ｈ１，Ｈ２が設計されている。
【００３９】
このように、手部３ａと手部３ｂによって挟まれた位置に装着部２１が設けられていることで、本体部１００ａを手で把持した際に、比較的硬い材料で構成されている装着部２１の周りを、比較的柔らかい材料で構成されている手部３ａ，３ｂによって覆った状態を得ることができる。この結果、本体部１００ａを把持している手が装着部２１に接触するのを防ぐことができ、ぬいぐるみ１００を取り扱う際の安全性を向上させることができる。また、ぬいぐるみ１００を抱いた時の感触を良好にすることができる。
【００４０】
図７は、図１に示すぬいぐるみ１００のＡ−Ａ線断面模式図である。
【００４１】
胴体部２の頭部１側の反対側の端部近傍の内部には、第一の内部空間４１と、第二の内部空間４２と、が形成されている。
【００４２】
第二の内部空間４２は、装着部２１が固定された生地３２と、胴体部２内部に設けられた生地３３，３４とで囲まれた空間である。第二の内部空間４２には上述した発光部２２が形成されている。
【００４３】
第一の内部空間４１は、ぬいぐるみ１００の背中側の表面を構成する生地３１と、胴体部２内部に設けられた生地３３，３４と、装着部２１が固定された生地３２とで囲まれた空間である。
【００４４】
生地３２は、その先端部３２ａが生地３１の上まで伸びており、面ファスナーなどによって先端部３２ａを生地３１に貼り付けられるようになっている。生地３２の先端部３２ａが生地３１から剥がされた図８に示す状態では、第一の内部空間４１の開口部４１ａが外部に露出する。
【００４５】
第一の内部空間４１には、制御部２４と、電池収容部２５と、スピーカ２６と、を含む制御ユニット２３が収容されている。この制御ユニット２３は、筐体に設けられたホール２３ａを介して生地３３に対し伸縮可能な状態で固定されている。つまり、制御ユニット２３は、図８に示す状態において、開口部４１ａから胴体部２の外側に、その一部を引き出すことができるようになっている。
【００４６】
制御ユニット２３の制御部２４は、ぬいぐるみ１００全体を統括制御する。制御ユニット２３のスピーカ２６は、制御部２４の制御のもと、メロディ音やセリフ等の音を出力する演出を行う演出部である。発光部２２は、制御部２４の制御のもと、発光素子を所定のパターンで光らせる演出を行う。
【００４７】
制御部２４は、装着部２１にアクセサリ５０が装着されると、装着部２１から通知された識別情報を取得し、この識別情報に応じた演出内容の演出を実行させる第一の制御を行う。制御部２４は、発光部２２から光を発光させたり、スピーカ２６から音を出力させたりする制御を行うことで、演出を実行させる。
【００４８】
制御部２４は、第一の制御によって演出が実行された後、又は、装着部２１からアクセサリ５０が取り外されたことにより、第一の制御によって実行される演出とは異なる演出を実行させる第二の制御を行う。ここでいう異なる演出としては、例えば、アクセサリ５０の種類に依存しない演出であり、ぬいぐるみ１００との会話を楽しむ演出などである。
【００４９】
また、制御部２４は、装着部２１へのアクセサリ５０の装着、装着部２１からのアクセサリ５０の取り外し、及び、操作部３ｃ，３ｄの操作のいずれもがないことを条件に、ぬいぐるみを省電力モードに移行させる。さらに、制御部２４は、省電力モードにおいて、装着部２１へのアクセサリ５０の装着、装着部２１からのアクセサリ５０の取り外し、及び、操作部３ｃ，３ｄの操作のいずれかがなされることを条件に、省電力モードを解除する。
【００５０】
制御ユニット２３の電池収容部２５は、ぬいぐるみ１００を動作させるために必要な電力を供給する乾電池を収容するものである。図８に示す状態から制御ユニット２３が外部に引き出され、その状態で、制御ユニット２３の筐体に設けられた電池カバーが開けられることで、電池収容部２５に対して乾電池を着脱可能となる。
【００５１】
なお、本体部１００ａ内部には、制御ユニット２３の制御部２４と操作部３ｃ，３ｄとを接続する配線Ｈ１，Ｈ２の他に、制御部２４と発光部２２を接続する配線や、制御部２４と装着部２１を接続する配線も形成されている。
【００５２】
図７や図５及び図６に示すように、本体部１００ａを装着方向にみた状態において、装着部２１は制御ユニット２３と重なっている。制御ユニット２３の筐体は、本体部１００ａの表面の生地よりも硬い素材によって構成されている。装着部２１に対してアクセサリ５０が装着されるときに、装着部２１は装着方向に沈み込む形となるが、制御ユニット２３が装着部２１の背面に配置されていることで、装着部２１の沈み込みは抑制される。このため、アクセサリ５０の装着性を向上させることができる。
【００５３】
図９は、制御ユニット２３の開口部４１ａ側の端面の平面模式図である。
【００５４】
図９に示すように、制御ユニット２３の開口部４１ａ側の端面には、ぬいぐるみ１００の起動及び停止を切り替えるための電源操作部２３ｂが形成されている。図９の例では、電源操作部２３ｂは左右に移動可能なスイッチにより構成されている。このスイッチが“ＯＮ”に移動されると、制御部２４によってぬいぐるみ１００が起動される。また、このスイッチが“ＯＦＦ”に移動されると、制御部２４によってぬいぐるみ１００が停止される。
【００５５】
以上のように、ぬいぐるみ１００によれば、装着部２１にアクセサリ５０を装着することで、アクセサリ５０の種類に応じた演出を楽しむことができる。また、このアクセサリ５０は、凹部５０ａと凹部５０ｂの間に突起５０ｃが形成されている構成である。このため、凹部５０ａと凹部５０ｂによって装着部２１との嵌合状態を強固にした状態で、突起５０ｃによってスイッチ部２１ｃのスイッチを確実に押し込むことが可能となる。したがって、アクセサリ５０の装着性を確保できると共に、アクセサリ５０の識別情報を制御部２４に確実に送信することができ、アクセサリ５０に応じた演出を確実に実行することができる。
【００５６】
また、アクセサリ５０は、装着部２１に嵌合によって固定されるため、アクセサリ５０の紛失を防ぐことができる。また、装着部２１に設けられたスイッチ部２１ｃとアクセサリ５０の突起５０ｃのパターンの組み合わせによって、アクセサリ５０の識別情報が制御部２４により取得される。このため、無線によって識別情報を取得する場合と比較すると、ぬいぐるみ１００の製造コストを低減することができる。また、アクセサリ５０は、突起５０ｃのパターンを変えるだけで識別情報を変更することができる。このため、アクセサリ５０の製造コストも低減することができる。
【００５７】
また、ぬいぐるみ１００では、装着部２１の背面に制御ユニット２３が配置されている。このため、装着部２１にアクセサリ５０を装着するときに装着部２１の沈み込みが抑制されて、アクセサリの装着性を向上させることができる。また、ぬいぐるみ１００では、装着部２１が本体部１００ａの表面を構成する素材よりも硬い素材によって構成されている。このため、全体として柔らかい感触となっている本体部１００ａに対して、アクセサリ５０を容易に装着させることができる。
【００５８】
また、ぬいぐるみ１００では、胴体部２を装着方向にみた状態において、装着部２１が手部３ａと手部３ｂによって挟まれた位置に設けられている。このため、本体部１００ａを手で把持した際に、比較的硬い材料で構成されている装着部２１の周りを手部３ａ，３ｂによって覆った状態を得ることができる。この結果、本体部１００ａを把持している手が装着部２１に接触するのを防ぐことができ、ぬいぐるみ１００を取り扱う際の安全性や抱き心地を向上させることができる。
【００５９】
また、ぬいぐるみ１００では、制御ユニット２３の一部が開口部４１ａから外側に引き出し可能に構成されている。このため、電池交換を容易に行うことができると共に、制御ユニット２３の紛失を防止したり、制御ユニット２３と装着部２１や発光部２２とを接続する配線が外れてしまうのを防いだりすることができる。
【００６０】
また、ぬいぐるみ１００では、制御ユニット２３の開口部４１ａ側の端面に電源操作部２３ｂが形成されている。制御ユニット２３は全てが取り出せない構成となっているため、この端面に電源操作部２３ｂがあることで、ぬいぐるみ１００の起動と停止を容易に行うことができる。
【００６１】
また、ぬいぐるみ１００では、制御ユニット２３が収容される第一の内部空間４１とは異なる第二の内部空間４２に発光部２２が収容されている。このように、外部に取り出し可能な制御ユニット２３とは異なる空間に発光部２２が収容されていることで、発光部２２が外部に取り出される可能性をなくすことができ、演出ができなくなってしまうことなどを防ぐことができる。
【００６２】
また、ぬいぐるみ１００では、図４に示したように、制御ユニット２３と操作部３ｃ，３ｄとを接続する配線Ｈ１，Ｈ２によって、手部３ａ，３ｂが装着方向の反対方向に付勢されている。このため、ぬいぐるみ１００の外観の可愛らしさを向上させる効果を低コストで実現することができる。
【００６３】
なお、以上の説明では、手部３ａ，３ｂに操作部３ｃ，３ｄが設けられているものとしたが、脚部４ａ，４ｂに操作部３ｃ，３ｄが設けられていてもよい。この場合も、制御ユニット２３と操作部３ｃ，３ｄとを接続する配線によって、脚部４ａ，４ｂを装着方向の反対方向に付勢することで、ぬいぐるみ１００の外観の可愛らしさを向上させることができる。
【００６４】
また、ぬいぐるみ１００では、アクセサリ５０の装着によって演出が実行された後、又は、装着部２１からアクセサリ５０が取り外されたことにより、アクセサリ５０の装着によって実行される演出とは異なる演出が実行される。このため、アクセサリ５０を用いない状態でも演出を楽しむことができる。
【００６５】
また、ぬいぐるみ１００では、装着部２１へのアクセサリ５０の装着、装着部２１からのアクセサリ５０の取り外し、及び、操作部３ｃ，３ｄの操作のいずれもがない場合に、省電力モードに移行する。このため、ぬいぐるみ１００を長時間使用していないときの電力消費を抑制でき、電池の交換頻度を減らすことができる。
【００６６】
また、ぬいぐるみ１００では、装着部２１へのアクセサリ５０の装着、装着部２１からのアクセサリ５０の取り外し、及び、操作部３ｃ，３ｄの操作のいずれかがなされた場合に省電力モードが解除される。このため、ぬいぐるみ１００を使って遊びたいときに直ぐに演出が開始可能な状態とすることできる。
【００６７】
以上の説明では、制御ユニット２３内に電池収容部２５以外の構成要素（制御部２４、スピーカ２６）が設けられるものとしたが、制御ユニット２３は少なくとも電池収容部２５を含んでいればよい。つまり、制御部２４やスピーカ２６は制御ユニット２３とは別の場所にあってもよい。電池収容部２５は乾電池を収容する部分であり、体積が大きいため、電池収容部２５を含むユニットが装着部２１の背面に配置されることで、アクセサリの装着性向上の効果を得ることが可能となる。
【符号の説明】
【００６８】
１００  ぬいぐるみ
１００ａ  本体部
１  頭部
２  胴体部
３ａ，３ｂ  手部
３ｃ，３ｄ  操作部
４ａ，４ｂ  脚部
２１  装着部
２２  発光部
２３  制御ユニット
２３ｂ  電源操作部
２４  制御部
２５  電池収容部
４１  第一の内部空間
４１ａ  開口部
４２  第二の内部空間
５０  アクセサリ
５０ａ，５０ｂ  凹部
５０ｃ  突起
【図１】
0006624691.tif 000002
【図２】
0006624691.tif 000003
【図３】
0006624691.tif 000004
【図４】
0006624691.tif 000005
【図５】
0006624691.tif 000006
【図６】
0006624691.tif 000007
【図７】
0006624691.tif 000008
【図８】
0006624691.tif 000009
【図９】
0006624691.tif 000010